(57)【特許請求の範囲】
【請求項１】
化粧料を収容する複数の化粧皿が着脱可能に配置された容器本体と、前記容器本体に対して開閉可能に設けられた蓋から構成される化粧料容器であって、
前記蓋は前記容器本体にヒンジ係合を用いて取り外し可能に、前記容器本体の側面に設けた開口に取り付けられており、
前記化粧皿は前記容器本体内で水平方向にスライド可能に前記容器本体と係合されており、複数の前記化粧皿を順番に前記容器本体の前記開口から水平方向に挿入して前記容器本体内に入れて、前記容器本体内で水平方向にスライド移動させて所定の位置に配置し、全ての前記化粧皿を所定の位置に配置したら前記蓋を前記開口に前記ヒンジを用いて係合させて前記容器本体の前記開口を閉じ、複数の前記化粧皿を前記容器本体に固定し、
前記容器本体の前記開口を設けた側面、および前記開口を設けた側面と対向する側面に水平方向に延伸された第１の突出部を設け、前記化粧皿の前記容器本体の前記第１の突出部が設けられた側面と接する２つの側面に前記第１の突出部と係合する第１の溝を水平方向に設け、前記化粧皿の残りの２つの側面のうち１つの側面には水平方向に延伸された第２の突出部を設け、もう１つの側面には第２の溝部を設け、隣接する前記化粧皿は互いの側面に設けられた前記第２の突出部と前記第２の溝部が係合することを特徴とする化粧料容器。
【請求項２】
前記化粧皿の底面の裏に第３の溝を設け、前記容器本体の底面上に設けた第３の突出部とスライド可能に係合させることを特徴とする請求項１に記載の化粧料容器。
【請求項３】
前記容器本体の前記開口を設けた側面以外の側面の上部に切り欠きを設けたことを特徴とする請求項１または２に記載の化粧料容器。
【請求項４】
前記容器本体内を前記化粧皿を収容する化粧皿収容部と化粧用具を収容する化粧用具収容部に分けたことを特徴とする請求項１〜３のいずれか１項に記載の化粧料容器。
【発明の詳細な説明】
【技術分野】
【０００１】
本発明は、複数の着脱可能な化粧皿を用いた化粧料容器に関する。
【背景技術】
【０００２】
化粧料容器の１個として、１個の化粧料容器に複数の化粧料、例えば、アイシャドウ、フェイスカラーといった種類の異なる化粧料、あるいは同じ化粧料、例えばアイシャドウでも色の異なる複数のアイシャドウを収容し、コンパクト等の持ち運びが容易な大きさに形成された化粧料容器が多数用いられている。
【０００３】
また、このような複数の化粧料を入れ替えるために、化粧料が収容された化粧皿を着脱可能とした化粧料容器が用いられている。このような化粧料容器の化粧皿は主に蓋を開けて容器本体の上から化粧皿を出し入れする構造が一般的である（特許文献１参照）。
【先行技術文献】
【特許文献】
【０００４】
【特許文献１】特開２００５−１３１１８２号公報
【発明の概要】
【発明が解決しようとする課題】
【０００５】
しかしながら、従来の化粧料容器の構造では、化粧皿をスムーズに取り外すのが難しいという問題があった。例えば、取り外しの際に化粧皿内の化粧料で指先が汚れてしまうという問題もある。
【０００６】
そこで、本発明は前記問題を解決するために、簡単な動作で化粧皿が取り外し可能な化粧料容器を提供することを目的とする。
【課題を解決するための手段】
【０００７】
本発明の化粧料容器は、化粧料を収容する複数の化粧皿が着脱可能に配置された容器本体と、前記容器本体に対して開閉可能に設けられた蓋から構成される化粧料容器であって、前記蓋は前記容器本体にヒンジ係合を用いて取り外し可能に、前記容器本体の側面に設けた開口に取り付けられており、前記化粧皿は前記容器本体内で水平方向にスライド可能に前記容器本体と係合されており、複数の前記化粧皿を順番に前記容器本体の前記開口から水平方向に挿入して前記容器本体内に入れて、前記容器本体内で水平方向にスライド移動させて所定の位置に配置し、全ての前記化粧皿を所定の位置に配置したら前記蓋を前記開口に前記ヒンジを用いて係合させて前記容器本体の前記開口を閉じ、複数の前記化粧皿を前記容器本体に固定することを特徴とする。
【０００８】
さらに、本発明の化粧料容器は、前記容器本体の前記開口を設けた側面、および前記開口を設けた側面と対向する側面に水平方向に延伸された第１の突出部を設け、前記化粧皿の前記容器本体の前記第１の突出部が設けられた側面と接する２つの側面に前記第１の突出部と係合する第１の溝を水平方向に設け、前記化粧皿の残りの２つの側面のうち１つの側面には水平方向に延伸された第２の突出部を設け、もう１つの側面には第２の溝部を設け、隣接する前記化粧皿は互いの側面に設けられた前記第２の突出部と前記第２の溝部が係合する構造とする。
【０００９】
その他にも、本発明の化粧料容器は、前記化粧皿の底面の裏に第３の溝を設け、前記容器本体の底面上に設けた第３の突出部とスライド可能に係合させること、前記容器本体の前記開口を設けた側面以外の側面の上部に切り欠きを設けること、前記容器本体内を前記化粧皿を収容する化粧皿収容部と化粧用具を収容する化粧用具収容部に分けることが可能である。
【発明の効果】
【００１０】
本発明の化粧料容器は、化粧料を収容する複数の化粧皿が着脱可能に配置された容器本体と、前記容器本体に対して開閉可能に設けられた蓋から構成される化粧料容器であって、前記蓋は前記容器本体にヒンジ係合を用いて取り外し可能に、前記容器本体の側面に設けた開口に取り付けられており、前記化粧皿は前記容器本体内で水平方向にスライド可能に前記容器本体と係合されており、複数の前記化粧皿を順番に前記容器本体の前記開口から水平方向に挿入して前記容器本体内に入れて、前記容器本体内で水平方向にスライド移動させて所定の位置に配置し、全ての前記化粧皿を所定の位置に配置したら前記蓋を前記開口に前記ヒンジを用いて係合させて前記容器本体の前記開口を閉じ、複数の前記化粧皿を前記容器本体に固定することにより、スライド操作により化粧皿を着脱することができるので、簡単に化粧皿を入れ替えすることができる。
【００１１】
さらに、本発明の化粧料容器は、前記容器本体の前記開口を設けた側面、および前記開口を設けた側面と対向する側面に水平方向に延伸された第１の突出部を設け、前記化粧皿の前記容器本体の前記第１の突出部が設けられた側面と接する２つの側面に前記第１の突出部と係合する第１の溝を水平方向に設け、前記化粧皿の残りの２つの側面のうち１つの側面には水平方向に延伸された第２の突出部を設け、もう１つの側面には第２の溝部を設け、隣接する前記化粧皿は互いの側面に設けられた前記第２の突出部と前記第２の溝部が係合する構造とすることにより、前記化粧皿をスムーズにかつ確実にスライド移動させることが可能となる。
【００１２】
そして、前記化粧皿の底面の裏に第３の溝を設け、前記容器本体の底面上に設けた第３の突出部とスライド可能に係合させることにより、前記蓋を外したときに化粧皿が開口から出てくるのを防ぐことが可能となる。
【００１３】
前記容器本体の前記開口を設けた側面以外の側面の上部に切り欠きを設けることにより、前記化粧皿を前記容器本体から取り外すときに指で化粧皿を押し出すのを容易にすることができる。
【００１４】
前記容器本体内を前記化粧皿を収容する化粧皿収容部と化粧用具を収容する化粧用具収容部に分けることにより、化粧料だけでなく化粧用具も同時に収容することが可能な化粧料容器が実現できる。
【図面の簡単な説明】
【００１５】
【図１】化粧料容器を開いた状態の斜視図である。
【図２】容器本体から化粧皿および蓋を取り外した状態の斜視図である。
【図３】化粧皿を裏側から見た斜視図である。
【図４】化粧料容器の断面図である。
【図５】容器本体の平面図である。
【図６】容器本体に化粧皿および蓋を取り付ける手順を示す斜視図である。
【図７】容器本体に化粧皿および蓋を取り付ける手順を示す斜視図であり、図６の続きを示す。
【図８】容器本体に化粧皿および蓋を取り付ける手順を示す斜視図であり、図７の続きを示す。
【図９】容器本体に化粧皿および蓋を取り付ける手順を示す斜視図であり、図８の続きを示す。
【発明を実施するための形態】
【００１６】
本発明を、図を用いて以下に詳細に説明する。図１が化粧料容器１を開いた状態の斜視図、図２が化粧料容器１の容器本体２から複数の化粧皿４，４’および蓋３を取り外した状態の斜視図である。
【００１７】
本発明の化粧料容器１は、図１，２に示すように、化粧料を収容する複数の化粧皿４，４’と、前記化粧皿４，４’が着脱可能に配置された容器本体２と、前記容器本体２に開閉可能に取り付けられた蓋３から構成される。前記化粧皿４，４’は大きい化粧皿４を１つ、前記化粧皿４の半分の大きさの小さい化粧皿４’を２つの合計３つを用いており、前記化粧皿４，４’を前記容器本体２内に一列に並べて配置する。
【００１８】
前記蓋３は前記容器本体２にヒンジ係合を用いて開閉可能、かつ取り外し可能な構造であり、前記容器本体２とヒンジ係合するために、図２に示すように係合部５の両側面に円筒形の突起６を設け、前記突起６を前記容器本体２に係合させ、前記突起６を軸として回転することで、前記蓋３は前記容器本体２に対して開閉可能となる。さらに前記容器本体２を閉じたときに蓋３を固定するための窪み７（図４参照）を設けている。また、前記蓋３の内面には鏡を設けることも可能である。
【００１９】
図５に示すように、前記容器本体２は、４つの側面８，８’，９，１０および底面１２から構成される化粧皿収容部１３と、４つの側面８，８’，１０，１１および前記底面１２から構成される化粧用具収容部１４の２つのスペースを有し、化粧料と化粧用具を同時に収容することができる。
【００２０】
前記化粧皿収容部１３を構成する前記側面９の中央には、前記化粧皿４，４’を出し入れするための開口１５を設けている。前記開口１５から水平方向に前記化粧皿４，４’を出し入れするために、前記開口１５の大きさは前記化粧皿４以上の大きさとする。さらに、前記開口１５には前記蓋３を取り外し可能に、かつ開閉可能に取り付けるために、前記開口１５の両側面には上面から下方へと延伸する縦溝１６を設け、前記縦溝１６の中には円筒形状の窪み１７を設ける。前記蓋３が前記開口１５に取り付けられると、前記開口１５は前記蓋３の前記係合部５によって塞がれる。
【００２１】
さらに、前記容器本体２は、前記化粧皿４，４’を前記化粧皿収容部１３内で水平方向にスライド可能に係合させるために、前記側面９の内面に第１の突出部１８を設け、さらに前記側面１０の内面にも同様に第１の突出部１８’を設ける。前記第１の突出部１８，１８’は断面が半円形で、前記側面９，１０の内面に水平方向に同じ大きさ、同じ高さで設けられている。
【００２２】
また、前記化粧皿４，４’を前記容器本体２から取り出し易くするために、前記側面８，８’，１０の上面に切り欠き１９，１９’を設けている。前記切り欠き１９，１９’から前記化粧皿４，４’の側面の一部が露出するので、露出した部分を指先で押してやることができ、前記化粧皿４，４’を移動させ易くなる。
【００２３】
前記容器本体２の前記底面１２上には、図５に示すように、横長の第３の突出部２０を同一直線状に、前記側面９，１０と平行に２つ並べて配置している。前記第３の突出部２０は、図４に示すように、前記化粧皿４，４’の底面の裏面に設けられている第３の溝２５と係合することで前記化粧皿４，４’が前記開口１５から脱落してしまうのを防ぐものである。
【００２４】
前記容器本体２の前記側面１１には、前記蓋３に設けた窪み７が係合される突起２１を設けており、図４に示すように、前記窪み７と前記突起２１が係合することで前記蓋３は前記容器本体２に閉じた状態で固定される。
【００２５】
前記化粧皿４，４’は前記容器本体２の側面９，１０と接する２つの側面に、図２，３に示すように、前記側面９，１０に設けられた前記第１の突出部１８，１８’と係合する第１の溝２２が設けられている。前記第１の溝２２は断面が半円形で水平方向に延伸している。さらに、図２に示すように、前記化粧皿４，４’の残りの側面（隣接する前記化粧皿４，４’と接する側面）の一方に断面が半円形で水平方向に延伸された第２の溝２３が設けられ、図３に示すように、他方には断面が半円形で水平方向に延伸された第２の突出部２４が設けられている。
【００２６】
前記化粧皿４，４’は前記容器本体２の化粧皿収容部１３から出し入れされるとき、前記容器本体２に設けられた前記第１の突出部１８，１８’と前記第１の溝２２が係合することで、前記容器本体２内で水平方向にスライド移動が可能となる。また前記化粧皿４，４’の対向する２つの側面に同じ高さで前記第１の溝２２を設けていることで、前記化粧皿４，４’を１８０°回転させた状態でも前記容器本体２に収容することが可能となる。
【００２７】
前記化粧皿４，４’の底面の裏面には、図３に示すように、互いに平行に設けられた２つの第３の溝２５を設けている。前記第３の溝２５は、断面が半円形で前記化粧皿４，４’の底面を横断するように設けられており、図４に示すように、前記容器本体２の底面１２上に設けられた第３の突出部２０と係合する。これにより、前記化粧皿４，４’は前記開口１５の方へ移動するのが防止され、かつ前記第３の溝２５と前記第３の突出部２０が係合した状態で、前記化粧皿４，４’は前記化粧皿収容部１３内でスライド可能となる。また、２つの第３の溝２５を設けることで、上述のように、前記化粧皿４，４’を１８０°回転させた状態でも前記化粧皿４，４’は前記化粧皿収容部１３内でスライド可能となる。
【００２８】
上述のように構成される本発明の化粧料容器１の使用方法について説明する。初めに、図２に示すような、前記容器本体２、前記蓋３、および前記化粧皿４，４’がばらばらになった状態から、前記化粧皿４，４’を前記容器本体２の化粧皿収容部１３に取り付ける。
【００２９】
まず図６（ａ）に示すように、前記化粧皿４を前記容器本体２の開口１５に水平方向に挿入し、図６（ｂ）に示すような前記化粧皿４が前記側面１０と当接した状態とする。この時、前記化粧皿４の底面に設けた第３の溝２５の１つは前記容器本体２の底面１２に設けた第３の突出部２０とスライド可能に係合し、前記化粧皿４の第１の溝２２は前記側面１０の第１の突出部１８’とスライド可能に係合している。この状態から、前記化粧皿４を横方向にスライドさせて、図７（ａ）に示すように、前記化粧皿収容部１３の左側にセットする。
【００３０】
次に図７（ｂ）に示すように、前記化粧皿４’を同じく開口１５から前記化粧皿収容部１３内に水平方向に挿入し、前記化粧皿４’を前記側面１０と当接させる。この時、前記化粧皿４’の底面に設けた第３の溝２５の１つが前記容器本体２の底面１２に設けた第３の突出部２０とスライド可能に係合し、第１の溝２２が前記側面１０の第１の突出部１８’とスライド可能に係合している。この状態から、前記化粧皿４’を横方向にスライドさせて、今度は図８（ａ）に示すように、前記化粧皿収容部１３の右側にセットする。前記化粧皿４’を取り付けるときに、前記化粧皿４，４’の前記第２の溝２３と前記第２の突出部２４の左右の位置が同じになるようにする必要がある。
【００３１】
このようにして、前記化粧皿４と前記化粧皿４’を左右にセットすると、図８（ｂ）に示すように、前記化粧皿４と前記化粧皿４’との間に、残りの化粧皿４をセットするスペースが残る。この時、前記化粧皿４の露出している側面には第２の溝２３があり、前記化粧皿４’の露出している側面には第２の突出部２４がある。そこで、最後の化粧皿４’は、第２の突出部２４が前記化粧皿４の第２の溝２３と係合し、第２の溝２３が前記化粧皿４’の第２の突出部２４と係合するように、図８（ｂ）に示すように、前記開口１５から水平方向にスライドさせて挿入する。
【００３２】
最後の化粧皿４’は前記第２の溝２３と前記第２の突出部２４が互いにスライド係合することで、スムーズに前記化粧皿４と前記化粧皿４’との間をスライドしていく。そして、最後の化粧皿４’を前記側面１０と当接させて、前記化粧皿４’の第１の溝２２を前記側面１０の第１の突出部１８’と係合させ、前記化粧皿４’の底面に設けた第３の溝２５の１つを前記容器本体２の底面１２に設けた第３の突出部２０と係合させると、図９（ａ）に示すように、全ての前記化粧皿４，４’の取り付けが完了する。
【００３３】
最後にセットした前記化粧皿４’の前記第３の溝２５が前記容器本体２の底面１２の前記第３の突出部２０と係合することで、最後にセットした前記化粧皿４’が容器本体２と仮固定された状態となるので、前記開口１５を閉じていない状態でも、前記化粧皿４，４’が前記開口１５から脱落するのを防止することができる。
【００３４】
前記化粧皿４，４’の配置は、ここで説明した順番に限定されるものではなく、３つの前記化粧皿４，４’を入れ替えることも可能であるので、前記化粧皿４ではなく前記化粧皿４’を先に取り付けることも可能である。また、前記化粧皿４，４’を１８０°回転させた状態で配置することも可能である。
【００３５】
次に、前記蓋３を前記容器本体２に取り付ける方法について説明する。前記縦溝１６および前記窪み１７を用いて、前記蓋３は開閉可能に容器本体２に取り付けられるので、前記蓋３を前記容器本体２に取り付けるために、前記蓋３の係合部５を前記容器本体２の開口１５の上方に配置し、図９（ｂ）に示すように、前記係合部５に設けた２つの突起６をそれぞれ前記縦溝１６へと上から挿入する。そして、前記係合部５が前記開口１５へと完全に挿入し、前記突起６の先端を前記窪み１７にそれぞれ嵌合させると前記蓋３の取り付けが完了し、図１に示す状態となる。
【００３６】
これにより、前記蓋３は前記突起６を軸に回転可能に前記容器本体２に取り付けられており、前記蓋３は前記容器本体２とヒンジ係合により開閉可能に取り付けられた状態となる。この時、前記係合部５は図１に示すように前記開口１５を完全に塞いでおり、前記容器本体２は前記側面９が閉じられて、前記化粧皿４，４’は前記開口１５から取り出すことができない状態となる。また、図４に示すように、前記化粧皿４，４’は前記第１の溝２２が前記容器本体２の前記第１の突出部１８と係合しているので、上方にも取り出すことはできなくなり、完全に前記容器本体２に固定された状態となる。
【００３７】
このようにして、前記化粧皿４，４’と前記蓋３を前記容器本体２に取り付けると、後は、化粧用具を前記化粧用具収容部１４に入れると前記化粧料容器１が使用できる状態となる。そして、前記蓋３を閉じるときは、前記蓋３を前記突起６を軸に回転させて、図４に示すように、前記蓋３の前記窪み７を前記容器本体２の前記突起２１と係合させる。これにより、前記化粧料容器１は前記蓋３が閉じた状態となり、持ち運びできるようになる。
【００３８】
前記化粧皿４，４’に収容した化粧料が無くなって新しい化粧皿に入れ替えるために、あるいは別の色の化粧料が収容された化粧皿４，４’と入れ替える場合には、前記化粧皿４，４’を取り外すことができる。先ずは、前記蓋３を開けた状態で上方に持ち上げて、前記蓋３の係合部５を前記容器本体２の開口１５から取り外す。この動作は、前記蓋３の突起６の嵌合を解除するだけなので簡単に行うことができる。
【００３９】
そして、前記開口１５が開いた状態となったら、今度は先ほどとは逆の手順で、順番に前記化粧皿４，４’を前記開口１５から取り出して行く。最後にセットした前記化粧皿４’を前記側面１０に設けた切り欠き１９’を利用して前記化粧皿４’の側面を指先で押してやり、前記化粧皿４’の前記第３の溝２５と前記容器本体２の底面１２の前記第３の突出部２０との係合を解除してやると、図８（ｂ）に示すように、前記化粧皿４’は前記開口１５に向かって水平方向にスライドして簡単に前記開口１５から取り出すことができる。
【００４０】
残りの化粧皿４，４’は、前記側面８，８’に設けた前記切り欠き１９を利用して指先で側面を押してやり横方向にスライドさせて、図６（ｂ）に示すように、前記開口１５の正面に移動させた後、前記側面１０に設けた切り欠き１９’を利用して前記化粧皿４’の側面を指先で押してやると、前記化粧皿４，４’の前記第３の溝２５と前記容器本体２の底面１２の前記第３の突出部２０との係合が解除され、図６（ａ）、図８（ｂ）に示すように、前記化粧皿４，４’は前記開口１５に向かって水平方向にスライドして前記開口１５から取り出すことができる。
【００４１】
このように、本発明の化粧料容器１は前記化粧皿４，４’をその側面を押してスライドさせるだけで取り付けたり取り外したりすることができるので、使用者は化粧皿４，４’に収容された化粧料に触れることなく、簡単な動作で着脱することができる。これにより、使用者は指先を汚さずに簡単に化粧皿４，４’の入れ替えを行うことができる。
【００４２】
また、前記化粧皿４，４’を取り付けた状態では完全に容器本体２に固定されているので、前記蓋３を取り外さない限り前記化粧皿４，４’が脱落することがないので、化粧料容器１を安心してカバン等に入れた状態で持ち運びすることができる。
【００４３】
前記化粧皿４，４’として、２種類の大きさのものを３つ用いた場合について説明してきたが、大きさは前記開口１５から出し入れ可能な大きさであればよく、個数についても適宜設定可能である。また、溝や突出部の断面形状や長さ等も特に限定するものではない。そして、前記蓋３の前記容器本体２との係合方法、および、前記化粧皿４，４’の前記容器本体２との係合方法についてもここで説明したものに限定するものではなく、様々な形態を用いることが可能である。
【００４４】
本発明の化粧料容器１の使用方法としてはいくつかの方法が考えられる。化粧皿４，４’に収容されている化粧料が無くなった場合、化粧料が無くなった化粧皿４，４’と同じものだけを購入して新しい化粧皿４，４’と空になった化粧皿４，４’を入れ替えることができる。これにより、１つの化粧皿４，４’が空になったとしても、新しい化粧料容器１を購入する必要が無くなる。また、予め複数の種類の異なる化粧皿４，４’を用意しておき、必要に応じて入れ替えて使用することもできる。
【符号の説明】
【００４５】
１        化粧料容器
２        容器本体
３        蓋
４，４’  化粧皿
５        係合部
６        突起
７        窪み
８，８’  側面
９        側面
１０      側面
１１      側面
１２      底面
１３      化粧皿収容部
１４      化粧用具収容部
１５      開口
１６      縦溝
１７      窪み
１８，１８’  第１の突出部
１９，１９’  切り欠き
２０      第３の突出部
２１      突起
２２      第１の溝
２３      第２の溝
２４      第２の突出部
２５      第３の溝
【図１】
0005555556.tif 000002
【図２】
0005555556.tif 000003
【図３】
0005555556.tif 000004
【図４】
0005555556.tif 000005
【図５】
0005555556.tif 000006
【図６】
0005555556.tif 000007
【図７】
0005555556.tif 000008
【図８】
0005555556.tif 000009
【図９】
0005555556.tif 000010